(57)【要約】      （修正有）【課題】  眼鏡に取り付けても皺がよることなく、装着感に優れた眼鏡保持バンドを提供する。さらに、眼鏡に取り付けられた保持バンドに眼鏡のツルが引っ張られても装着感が悪くなることのない保持バンド付き眼鏡を提供する。【解決手段】  この発明の眼鏡保持バンドは、柔軟性を有する素材からなると共に長手方向にスリット３を設けたものとし、眼鏡Ｇの一対のツルＴにそれぞれ保持される筒状保持部１の後端部１ｂを、それぞれ接続部２により接続したものとしている。この発明の保持バンド付き眼鏡は、柔軟性を有する素材からなると共に長手方向にスリット３を設けたものとし、眼鏡Ｇの一対のツルＴにそれぞれ保持される筒状保持部１の後端部１ｂを、それぞれ接続部２により接続した保持バンドＨを、眼鏡ＧのツルＴに保持したものとしている。【選択図】    図１
2006221100.tif 000002
【特許請求の範囲】
【請求項１】
柔軟性を有する素材からなると共に長手方向にスリット（３）を設けたものとし、眼鏡（Ｇ）の一対のツル（Ｔ）にそれぞれ保持される筒状保持部（１）の後端部（１ｂ）を、それぞれ接続部（２）により接続したことを特徴とする眼鏡保持バンド。
【請求項２】
前記スリット（３）を、筒状保持部（１）を眼鏡（Ｇ）のツル（Ｔ）に保持した場合における、その筒状保持部（１）の外側面（１ｏ）に設けたものとしたことを特徴とする請求項１に記載の眼鏡保持バンド。
【請求項３】
前記スリット（３）を、筒状保持部（１）の前端部（１ａ）寄りにおいて、スリット幅が前端に向かって徐々に広くなって開放するようにしたことを特徴とする請求項１または２に記載の眼鏡保持バンド。
【請求項４】
前記筒状保持部（１）の前端部（１ａ）に、眼鏡（Ｇ）のツル（Ｔ）の前端部（Ｔａ）寄りの内側面（Ｔｉ）に設けた係合溝（１１）と係合する係合部（４）を設けたものとしたことを特徴とする請求項１から３のいずれかに記載の眼鏡保持バンド。
【請求項５】
前記筒状保持部（１）の後端部（１ｂ）に、眼鏡（Ｇ）のツル（Ｔ）の後端部（Ｔｂ）の挿入部（６）を設けたものとしたことを特徴とする請求項１から４のいずれかに記載の眼鏡保持バンド。
【請求項６】
前記接続部（２）を、バックル（８）によって長さ調節可能に連結したものとしたことを特徴とする請求項１から５のいずれかに記載の眼鏡保持バンド。
【請求項７】
請求項１から６に記載のいずれかの眼鏡保持バンド（Ｈ）を、眼鏡（Ｇ）のツル（Ｔ）に保持したことを特徴とする保持バンド付き眼鏡。
【請求項８】
柔軟性を有する素材からなる鼻当てパッド（１２）を、眼鏡（Ｇ）の鼻当て部（Ｎ）に取り付けたものとしたことを特徴とする請求項７に記載の保持バンド付き眼鏡。
【請求項９】
前記鼻当てパッド（１２）を、眼鏡（Ｇ）のフレーム（Ｆ）のブリッジ（Ｂ）に設けた取付孔（１３）に嵌め込み可能とした嵌合部（１４）を設けると共に、眼鏡（Ｇ）のフレーム（Ｆ）の鼻当て部（Ｎ）に嵌め込み可能とした嵌合溝（１５）を設けたものとしたことを特徴とする請求項８に記載の保持バンド付き眼鏡。
【発明の詳細な説明】
【技術分野】
【０００１】
この発明は、平常の眼鏡着用時にその眼鏡に取り付けることもできるが、特に魚釣り、水上スポーツ、雪上スポーツ、その他各種のスポーツなどの激しい動作を行うときに、着用している眼鏡がずれたり落下しないようにするために、その眼鏡に取り付けることのできる眼鏡保持バンドおよびその保持バンド付き眼鏡に関するものである。
【背景技術】
【０００２】
従来、この種の眼鏡保持バンドは、例えば図８、９に示したように、細幅帯ひも２１の片面の一端部にフック面２２を設け、その他の部分にループ面２３を設けてはり合せひも２４を形成している。そして、そのはり合せひも２４を、別に形成したつなぎひも２５の端部に設けた連結環２６に挿通して、はり合せひも２４を２つ折にし、フック面２２をループ面２３上の適所とはり合せることができるようにしている。さらに、ループ面２３の先端部と、つなぎひも２５の他端部とに取付けたスナップボタン（図示せず）の凸部を、ゴム材による左右の連着ひも２７、２８のスナップボタン２７ａ、２８ａの凹部に取外し自在に嵌着してなるものとしている（特許文献１）。
【０００３】
このような従来の眼鏡保持バンドは、フック面２２とループ面２３とは一条の細幅帯ひも２１に設けており、左右両端部の連着ひも２７、２８を眼鏡ＧのツルＴに結び、眼鏡Ｇをかけた後、片手を後頭部に回して引張度を調節してフック面２２をループ面２３にはり合せれば、頭の大小にかかわらず適度に調節ができ、使用後は分離することなく一連のまま保管できるから、片方を紛失する懸念がないという利点を有するとしている。
【０００４】
さらに、この種の眼鏡保持バンドは、例えば図１０、１１に示したように、伸縮性を有する素材からなる保持バンド本体３１と、この保持バンド本体３１の両端部に形成した筒状部３２、３２とからなり、前記筒状部３２、３２を眼鏡ＧのツルＴに保持できるようにしてなるものとしている（特許文献２）。
【０００５】
このような従来の眼鏡保持バンドは、眼鏡ＧのツルＴを筒状部３２、３２に挿通すれば、眼鏡Ｇは保持バンド本体３１によって頭部に対して強固に装着されることとなり、みだりにずれや脱落を生じることがなくなるので、過激な運動を行う場合にも眼鏡Ｇのずりおち、或いは脱落による不都合は完全に防止することができるとしている。また、保持バンド本体３１は伸縮性を有する素材によって構成されているので、頭部のサイズ等に寸法を合わせることなどの煩わしさが無く、簡単に使用することができるほか、使用素材の選択、保持バンド本体３１に施すデザイン等によってファッション性に優れたものとすることができるとしている。
【特許文献１】実開昭５７−１４８１１５号全文明細書（第１頁、第１、４図）
【特許文献２】実開昭６０−７４１２６号全文明細書（第１、３、４頁、第１、２図）
【発明の開示】
【発明が解決しようとする課題】
【０００６】
しかしながら、上記図８、９に示した従来の眼鏡保持バンドでは、細幅帯ひも２１の左右両端部の連着ひも２７、２８を眼鏡ＧのツルＴの後端部に結び付けるようしているので、その細幅帯ひも２１で頭部を締め付けると、ツルＴの後端部より少し前の部分により眼鏡着用者の耳近辺が強く押さえられ、またツルＴが細幅帯ひも２１に引っ張られて、鼻当てＮにより着用者の鼻背側部が強く押さられ、眼鏡の装着感が非常に悪くなるという問題点を有していた。
【０００７】
さらに、上記図１０、１１に示した従来の眼鏡保持バンドでは、眼鏡ＧのツルＴを筒状部３２、３２に挿通するものとしているので、保持バンド本体３１が伸縮性を有する素材からなるといっても摩擦抵抗が大きいため、挿通する時に力を入れ過ぎた場合に、ツルＴが曲がってしまうという問題点を有していた。また、眼鏡ＧのツルＴを筒状部３２、３２に挿通すると、その挿通する時に筒状部３２、３２に皺がよることがあり、そのため眼鏡の装着感が悪くなるという問題点を有していた。さらに、この眼鏡保持バンドでも、図８、９に示した眼鏡保持バンドと同様に、ツルＴが保持バンド本体３１に引っ張られて、鼻当てＮにより着用者の鼻背側部が強く押さられ、眼鏡の装着感が非常に悪くなるという問題点を有していた。
【０００８】
そこで、この発明は、上記従来の問題点を解決することをその課題としており、眼鏡に取り付けても皺がよることなく、装着感に優れた眼鏡保持バンドを提供することを目的とし、さらにその取り付けられた眼鏡保持バンドに眼鏡のツルが引っ張られても装着感が悪くなることのない保持バンド付き眼鏡を提供することを目的としてなされたものである。
【課題を解決するための手段】
【０００９】
そのため、この発明の眼鏡保持バンドは、柔軟性を有する素材からなると共に長手方向にスリット３を設けたものとし、眼鏡Ｇの一対のツルＴにそれぞれ保持される筒状保持部１の後端部１ｂを、それぞれ接続部２により接続したものとしている。
【００１０】
さらに、この発明の眼鏡保持バンドは、前記スリット３を、筒状保持部１を眼鏡ＧのツルＴに保持した場合における、その筒状保持部１の外側面１ｏに設けたものとしている。
【００１１】
また、この発明の眼鏡保持バンドは、前記スリット３を、筒状保持部１の前端部１ａ寄りにおいて、スリット幅が前端に向かって徐々に広くなって開放するようにしている。
【００１２】
さらに、この発明の眼鏡保持バンドは、前記筒状保持部１の前端部１ａに、眼鏡ＧのツルＴの前端部Ｔａ寄りの内側面Ｔｉに設けた係合溝１１と係合する係合部４を設けたものとしている。
【００１３】
また、この発明の眼鏡保持バンドは、前記筒状保持部１の後端部１ｂに、眼鏡ＧのツルＴの後端部Ｔｂの挿入部６を設けたものとしている。
【００１４】
さらに、この発明の眼鏡保持バンドは、前記接続部２を、バックル８によって長さ調節可能に連結したものとしている。
【００１５】
そして、この発明の保持バンド付き眼鏡は、柔軟性を有する素材からなると共に長手方向にスリット３を設けたものとし、眼鏡Ｇの一対のツルＴにそれぞれ保持される筒状保持部１の後端部１ｂを、それぞれ接続部２により接続した保持バンドＨを、眼鏡ＧのツルＴに保持したものとしている。
【００１６】
さらに、この発明の保持バンド付き眼鏡は、前記スリット３を、筒状保持部１を眼鏡ＧのツルＴに保持した場合における、その筒状保持部１の外側面１ｏに設けた保持バンドＨを、眼鏡ＧのツルＴに保持したものとしている。
【００１７】
また、この発明の保持バンド付き眼鏡は、前記スリット３を、筒状保持部１の前端部１ａ寄りにおいて、スリット幅が前端に向かって徐々に広くなって開放するようにした保持バンドＨを、眼鏡ＧのツルＴに保持したものとしている。
【００１８】
さらに、この発明の保持バンド付き眼鏡は、前記筒状保持部１の前端部１ａに、眼鏡ＧのツルＴの前端部Ｔａ寄りの内側面Ｔｉに設けた係合溝１１と係合する係合部４を設けた保持バンドＨを、眼鏡ＧのツルＴに保持したものとしている。
【００１９】
また、この発明の保持バンド付き眼鏡は、前記筒状保持部１の後端部１ｂに、眼鏡ＧのツルＴの後端部Ｔｂの挿入部６を設けた保持バンドＨを、眼鏡ＧのツルＴに保持したものとしている。
【００２０】
さらに、この発明の保持バンド付き眼鏡は、前記接続部２を、バックル８によって長さ調節可能に連結した保持バンドＨを、眼鏡ＧのツルＴに保持したものとしている。
【００２１】
また、この発明の保持バンド付き眼鏡は、柔軟性を有する素材からなる鼻当てパッド１２を、眼鏡Ｇの鼻当て部Ｎに取り付けたものとしている。
【００２２】
さらに、この発明の保持バンド付き眼鏡おいて、前記鼻当てパッド１２は、眼鏡ＧのフレームＦのブリッジＢに設けた取付孔１３に嵌め込み可能とした嵌合部１４を設けると共に、眼鏡ＧのフレームＦの鼻当て部Ｎに嵌め込み可能とした嵌合溝１５を設けたものとしている。
【発明の効果】
【００２３】
この発明の眼鏡保持バンドは、以上に述べたように構成されているため、眼鏡に取り付けても皺がよることなく、装着感が優れたものとなる。
【００２４】
また、この発明の保持バンド付き眼鏡は、以上に述べたように構成されているため、保持バンドに眼鏡のツルが引っ張られても装着感が悪くなることがないものとなる。
【発明を実施するための最良の形態】
【００２５】
以下、この発明の眼鏡保持バンドおよびその保持バンド付き眼鏡を実施するための最良の形態について、図面に基づき詳細に説明する。
【００２６】
この発明の眼鏡保持バンドは、図１、２に示したように、眼鏡Ｇの一対のツルＴに、その全長にわたってそれぞれ保持される筒状保持部１を有したものとし、これら筒状保持部１の後端部１ｂをそれぞれ接続部２により接続したものとしている。そして、この発明の保持バンド付き眼鏡は、図４、５に示したように、前記保持バンドＨを眼鏡ＧのツルＴに保持したものとしている。
【００２７】
前記眼鏡Ｇとしては、一般平常時に着用される近視や遠視などの矯正眼鏡、野球、テニス、ゴルフなどの陸上スポーツ、サーフィン、ヨット、カヌーなどの水上スポーツ、スキー、スノーボードなどの雪上スポーツ等の各種スポーツ用サングラス、水泳ゴーグル、スキーゴーグル、オートゴーグル、安全ゴーグル、防塵ゴーグル等の眼鏡類を挙げることができるが、これらに限定されるものではない。
【００２８】
前記筒状保持部１は、柔軟性を有する素材からなると共に長手方向にスリット３を設けたものとしている。そして、スリット３は、筒状保持部１を眼鏡ＧのツルＴに保持した場合における、その筒状保持部１の外側面１ｏ、すなわち眼鏡ＧのツルＴの外側面Ｔｏに位置するように設けたものとしている。このスリット３は、筒状保持部１を眼鏡ＧのツルＴに保持した場合における、その筒状保持部１の内側面１ｉ、あるいは上側面や下側面、すなわち眼鏡ＧのツルＴの内側面Ｔｉ、あるいは上側面や下側面に位置するように設けたものとすることもできるが、このようにした保持バンド付き眼鏡を着用した場合、スリット３に着用者の髪の毛が接触しこの髪の毛が巻き込まれることがあり、さらにスリット３を眼鏡ＧのツルＴの内側面Ｔｉに位置するように設けた場合、このスリット３が着用者の耳近辺に接触し装着感が低下するので、好ましくない。さらに、前記スリット３は、筒状保持部１の前端部１ａ寄り、すなわち眼鏡ＧのツルＴの前端部Ｔａ寄りの位置においては、スリット幅が前端に向かって徐々に広くなって開放するようにしている。このようにすると、スリット幅が広くなって開放した部分から眼鏡ＧのツルＴを差し込むことができ、筒状保持部１に眼鏡ＧのツルＴを保持させ易くなる。なお、柔軟性を有する素材としては、ポリスチレン系、ポリウレタン系、ポリ塩化ビニル系、ポリレフィン系などの熱可塑性エラストマー、シリコンゴムやイソプレンゴムなどが用いられる。これらの素材を用いると、筒状保持部１が汗や水で濡れた場合にも変質し難くなり、筒状保持部１が変形して、スリット３の部分から捲れ上がったり、スリット幅が広がったりするようなことがないものとなる。
【００２９】
また、前記筒状保持部１の前端部１ａには、眼鏡ＧのツルＴの前端部Ｔａ寄りの内側面Ｔｉに設けた係合溝１１と係合する係合部４を設けたものとしている。このようにすることにより、眼鏡ＧのツルＴに筒状保持部１を保持させた場合に、係合部４と係合溝１１とが係合して、そのツルＴから筒状保持部１が外れ難くなり、筒状保持部１と眼鏡ＧのツルＴとの保持力を強化させることができる。さらに、前記筒状保持部１の係合部４を設けた前端部１ａの内側面１ｉには、通気孔５を設けたものとしている。この通気孔５は、前記係合部４を、眼鏡ＧのツルＴの係合溝１１に密着して覆い被せるようにした場合には、空気の逃げ場がなくなるので、その空気を逃がすために設けたものである。さらに、この通気孔５は、前記係合部４と係合溝１１の係合具合を確認するために設けたものである。すなわち、この通気孔５が、眼鏡ＧのツルＴの前端部Ｔａ寄りの内側面Ｔｉによって完全に塞がれておれば、この内側面Ｔｉと筒状保持部１の前端部１ａの内側面１ｉが密着していることになり、係合部４と係合溝１１とが完全に係合されていることが確認できる。
【００３０】
さらに、前記筒状保持部１の後端部１ｂには、眼鏡ＧのツルＴの後端部Ｔｂの挿入部６を設けたものとしている。この挿入部６は、眼鏡ＧのツルＴの後端部Ｔｂが密着して挿入されるようにすると共に、その挿入部６の後端に通気孔７を設けたものとしている。このようにすることにより、眼鏡ＧのツルＴに筒状保持部１を保持させた場合に、ツルＴの後端部Ｔｂが挿入部６に挿入して、眼鏡ＧのツルＴから筒状保持部１が外れ難くなり、筒状保持部１と眼鏡ＧのツルＴとの保持力を強化させることができる。なお、前記挿入部６に設けた通気孔７は、眼鏡ＧのツルＴの後端部Ｔｂが挿入部６に密着して挿入されるようにすると空気の逃げ場がなくなるので、その空気を逃がすために設けたものである。
【００３１】
前記接続部２は、帯状とするなど、着用者の後頭部に沿い易い形状にしている。この接続部２は、筒状保持部１の後端部１ｂに別体として接続したものとしてもよいが、筒状保持部１と一体成形することにより一体的に接続したものとするのが、繋ぎ目もなくなって装着感が悪くなることもなく、製造もし易いものとなるので好ましい。そして、この接続部２は、単に帯状にしたものとしてもよいが、図示したように、バックル８によって長さ調節可能に連結したものとして、着用者の頭部の寸法に応じて装着し易いように調節できるようにしてもよい。
【００３２】
また、この発明の保持バンド付き眼鏡は、柔軟性を有する素材からなる鼻当てパッド１２を、眼鏡Ｇの鼻当て部Ｎに一体的に取り付けたものとしたり、または着脱自在として取り付けたものとしている。
【００３３】
前記鼻当てパッド１２を眼鏡Ｇの鼻当て部Ｎに着脱自在として取り付けたものにするには、鼻当てパッド１２を、図７に示したように、眼鏡ＧのフレームＦのブリッジＢに設けた取付孔１３に嵌め込み可能とした嵌合部１４を設けると共に、眼鏡ＧのフレームＦの鼻当て部Ｎに嵌め込み可能とした嵌合溝１５を設けたものとしている。このようにすることにより、鼻当てパッド１２は、眼鏡ＧのフレームＦに取り付け易いものとなると共に取り外し易いものなり、また眼鏡ＧのフレームＦに安定した状態で取り付けられるものとなる。さらに、この鼻当てパッド１２が、着用者の汗などで汚れた場合には、眼鏡ＧのフレームＦから簡単に取り外して洗浄することができる。
【００３４】
以上のように構成されたこの発明の保持バンドは、次のようにして眼鏡に取り付けられる。
【００３５】
先ず、保持バンドＨの筒状保持部１の前端部１ａから、この筒状保持部１に眼鏡ＧのツルＴの後端部Ｔｂを挿入していき、このツルＴの後端部Ｔａを筒状保持部１の後端部１ｂに設けた挿入部６に入り込ませる。このとき、前記筒状保持部１に設けたスリット３の間隔が広げられるので、筒状保持部１にツルＴが挿入し易くなり、筒状保持部１に皺がよるようなことはない。そして、筒状保持部１にツルＴが挿入された後は、スリット３は元の間隔に戻り、この筒状保持部１がツルＴの周囲に隙間なく取り付けられることになり、またツルＴの後端部Ｔｂは筒状保持部１の後端部１ｂに設けた挿入部６に入り込ませているので、ツルＴが筒状保持部１から外れ難いものとなる。さらに、前記筒状保持部１の前端部１ａに設けた係合部４を、眼鏡ＧのツルＴの前端部Ｔａ寄りに設けた係合溝１１に係合させれば、筒状保持部１がツルＴから外れ難いものとなり、筒状保持部１とツルＴとの保持力が強化されることになる。
【００３６】
次に、上記したようにして保持バンドが取り付けられたこの発明の保持バンド付き眼鏡を着用すると、筒状保持部１が着用者の耳近辺に接触することになるが、この筒状保持部１は柔軟性を有する素材からなっているので、装着感が優れたものとなる。
【００３７】
そして、この発明の保持バンド付き眼鏡は、接続部２をバックル８によって長さ調節可能としたものでは、この接続部２の長さを着用者の頭部の寸法に応じて調節することができるので、装着感を強くしたり弱くしたりして、着用者の好みに応じたものとすることができる。
【００３８】
さらに、この発明の保持バンド付き眼鏡は、眼鏡ＧのツルＴの後端部Ｔｂが筒状保持部１の後端部１ｂに設けた挿入部６に入り込んでいるので、このツルＴの後端部Ｔｂは保持バンドＨの外部に出っ張ることなく、ツルＴの後端部Ｔｂが眼鏡の着用時に引っ掛かったりして邪魔になることもない。
【００３９】
また、この発明の保持バンド付き眼鏡は、柔軟性を有する素材からなる鼻当てパッド１２を、眼鏡Ｇの鼻当て部Ｎに取り付けたものとしているので、ツルＴが保持バンドＨによって強く引っ張られ、鼻当て部Ｎにより着用者の鼻背側部が強くおさえられる場合があっても、この鼻当て部Ｎに取り付けた鼻当てパッド１２が着用者の鼻背側部に当たり、衝撃が緩和されるので、装着感が悪くなることがない。
【図面の簡単な説明】
【００４０】
【図１】この発明の眼鏡保持バンドの斜視図である。
【図２】この発明の眼鏡保持バンドの側面図である。
【図３】この発明の眼鏡保持バンドを取り付ける眼鏡の平面図である。
【図４】この発明の保持バンド付き眼鏡の斜視図である。
【図５】この発明の保持バンド付き眼鏡の側面図である。
【図６】この発明の保持バンド付き眼鏡のツルに取り付けた状態の保持バンドの要部拡大水平断面図である。
【図７】この発明の保持バンド付き眼鏡の鼻当てパッドを眼鏡のフレームから外した状態を示す斜視図である。
【図８】従来の眼鏡保持バンドの一例を示す斜視図である。
【図９】図８に示す従来の眼鏡保持バンドを眼鏡のツルに取り付けた状態の斜視図である。
【図１０】従来の眼鏡保持バンドの他の例を示す斜視図である。
【図１１】図１０に示す従来の眼鏡保持バンドを眼鏡のツルに取り付けた状態の斜視図である。
【符号の説明】
【００４１】
１  筒状保持部
１ａ  前端部
１ｂ  後端部
１ｏ  外側面
２  接続部
３  スリット
４  係合部
６  挿入部
８  バックル
１１  係合溝
１２  鼻当てパッド
１３  取付孔
１４  嵌合部
１５  嵌合溝
Ｂ  ブリッジ
Ｆ  フレーム
Ｇ  眼鏡
Ｈ  保持バンド
Ｎ  鼻当て部
Ｔ  ツル
Ｔａ  前端部
Ｔｂ  後端部
Ｔｉ  内側面
【図１】
2006221100.tif 000003
【図２】
2006221100.tif 000004
【図３】
2006221100.tif 000005
【図４】
2006221100.tif 000006
【図５】
2006221100.tif 000007
【図６】
2006221100.tif 000008
【図７】
2006221100.tif 000009
【図８】
2006221100.tif 000010
【図９】
2006221100.tif 000011
【図１０】
2006221100.tif 000012
【図１１】
2006221100.tif 000013